(57)【要約】【課題】切断機本体への取付けが容易なダストケースを有するダストケース付き切断機を提供する。【解決手段】ダストケース３を有する丸鋸１であって、ダストケース３は、切断機本体２の掛止受部２ｅ３，２ｅ４に掛け止められる掛止部３ｃ１，３ｃ２を有している。ダストケース３には、掛止部３ｃ１，３ｃ２を掛止受部２ｅ３，２ｅ４に掛け止めるためにダストケース３を切断機本体２に対して移動させる動作に連動して、切断機本体２に向けて進出して切断機本体２の受部２ｍに係合しダストケース３を切断機本体２にロックする連動ロック部４ａを備えるロック機構４が設けられている。【選択図】        図３
2007196310.tif 000002
【特許請求の範囲】
【請求項１】
切断刃を備える切断機本体と、その切断機本体に脱着可能に付設されて切断加工時に発生した切断粉を集塵するダストケースとを有するダストケース付き切断機であって、
前記ダストケースは、前記切断機本体の掛止受部に掛け止められる掛止部を有しており、
前記ダストケースまたは前記切断機本体のいずれかの部材には、前記掛止部を前記掛止受部に掛け止めるために前記ダストケースを前記切断機本体に対して移動させる動作に連動して、いずれか他の部材に向けて進出して該他の部材の受部に係合し前記ダストケースを前記切断機本体にロックする連動ロック部を備えるロック機構が設けられていることを特徴とするダストケース付き切断機。
【請求項２】
請求項１に記載のダストケース付き切断機であって、
ロック機構は、連動ロック部を進出方向に付勢する付勢部材を有しており、
前記連動ロック部は、掛止部を掛止受部に掛け止めるためにダストケースを切断機本体に対して移動させる動作によって、受部側から力を受けて前記付勢部材に抗して移動し、その後、前記付勢部材の付勢力によって進出して前記受部に係合する構成になっており、
該連動ロック部には、操作部が設けられており、該操作部を操作することで前記連動ロック部が前記付勢部材に抗して移動し前記受部から係合解除される構成になっていることを特徴とするダストケース付き切断機。
【請求項３】
請求項１または２に記載のダストケース付き切断機であって、
切断機本体は、円盤状の切断刃と、その切断刃の側面を覆うブレードカバーを有しており、
ダストケースは、前記切断機本体に対し同一方向に掛け止められる複数の掛止部を有しており、前記ダストケースを前記ブレードカバーに沿って前記切断刃の面と平行にスライドさせることで、前記ブレードカバーに形成された各掛止受部に前記複数の掛止部が掛け止められる構成になっており、
連動ロック部は、切断刃の回転軸方向と略平行でかつ前記掛止部の掛け止め動作方向と略直交する方向に進出して受部に係合する構成になっていることを特徴とするダストケース付き切断機。
【発明の詳細な説明】
【技術分野】
【０００１】
本発明は、切断機本体に脱着可能に付設されるダストケースを有するダストケース付き切断機、例えばダストケース付きの丸鋸などに関する。
【背景技術】
【０００２】
従来、様々な切断機が知られており、例えば特許文献１に記載の丸鋸が知られている。
特許文献１記載の丸鋸は、切断加工により発生する切断粉（切り粉）を集塵するダストケースを有している。そしてダストケースの前端寄り部には、切断機本体の前端部に引き掛けられる引き掛け部が形成されており、ダストケースの後端寄り部には、切断機本体に取付けられたロックバーの押し回し操作によりロックバーの先端屈曲部が係合される被係合部が設けられている。したがってダストケースは、ねじ止めする形態に比べて、簡単に切断機本体に脱着され得る。
【特許文献１】特開２００５−１３８２２０号公報
【発明の開示】
【発明が解決しようとする課題】
【０００３】
しかし特許文献１記載の丸鋸であっても、ダストケースを取付ける際に、ロックバーを押し回し操作する必要があって取付作業が面倒な構成になっていた。
そこで本発明は、切断機本体への取付けが容易なダストケースを有するダストケース付き切断機を提供することを課題とする。
【課題を解決するための手段】
【０００４】
前記課題を解決するために本発明は、各請求項に記載の通りの構成を備えるダストケース付き切断機であることを特徴とする。
請求項１に記載の発明によると、ダストケースは、切断機本体の掛止受部に掛け止められる掛止部を有している。そしてダストケースまたは切断機本体のいずれかの部材には、掛止部を掛止受部に掛け止めるためにダストケースを切断機本体に対して移動させる動作に連動して、いずれか他の部材に向けて進出して該他の部材の受部に係合しダストケースを切断機本体にロックする連動ロック部を備えるロック機構が設けられている。
【０００５】
したがってダストケースを切断機本体に掛止める方向に移動させることで、連動ロック部によってダストケースを切断機本体に対してロックすることができる。そのため従前のようにねじやロックバーなどを回すことなく、ダストケースを切断機本体に対してロックすることができ、ダストケースを切断機本体に対して容易に取付けることができる。
【０００６】
請求項２に記載の発明によると、ロック機構は、連動ロック部を進出方向に付勢する付勢部材を有している。そして連動ロック部は、掛止部を掛止受部に掛け止めるためにダストケースを切断機本体に対して移動させる動作によって、受部側から力を受けて付勢部材に抗して移動し、その後、付勢部材の付勢力によって進出して受部に係合する構成になっている。また該連動ロック部には、操作部が設けられており、該操作部を操作することで連動ロック部が付勢部材に抗して移動し受部から係合解除される構成になっている。
したがって連動ロック部は、付勢部材による付勢力によって受部に係合する。そして連動ロック部は、連動ロック部に設けられた操作部の操作によって受部から係合解除される。
【０００７】
請求項３に記載の発明によると、切断機本体は、円盤状の切断刃と、その切断刃の側面を覆うブレードカバーを有している。ダストケースは、切断機本体に対し同一方向に掛け止められる複数の掛止部を有しており、ダストケースをブレードカバーに沿って切断刃の面と平行にスライドさせることで、ブレードカバーに形成された各掛止受部に複数の掛止部が掛け止められる構成になっている。そして連動ロック部は、切断刃の回転軸方向と略平行でかつ掛止部の掛け止め動作方向と略直交する方向に進出して受部に係合する構成になっている。
【０００８】
したがってダストケースは、ブレードカバーに沿ってスライドされるために、ブレードカバーに案内されつつスライドされる。そしてダストケースのブレードカバーに対するスライドによって複数の掛止部を一度にブレードカバーに掛け止めることができる。したがってダストケースを容易にかつ安定良くブレードカバーに掛け止めることができる。
また連動ロック部は、ダストケースのスライド方向に対して略垂直方向に進出して受部に係合する。そのためダストケースは、連動ロック部によって安定良く切断機本体に対しロックされ得る。
【発明を実施するための最良の形態】
【０００９】
本発明の実施の形態を図１〜６にしたがって説明する。
本形態に係る切断機は、図１，２に示すように携帯型の丸鋸１であって、切断機本体２とベース５とダストケース３を有している。
切断機本体２は、図１，２に示すように本体ハウジング２ａと、本体ハウジング２ａの一側面に設けられたモータハウジング２ｂと、本体ハウジング２ａの他側面に設けられたブレードカバー２ｅと円盤状の切断刃（鋸刃）２ｈを有している。
【００１０】
本体ハウジング２ａの後側部には、バッテリ２ｊが内設されており、本体ハウジング２ａの前側部には、ギヤなどの駆動機構２ｆが内設されている。そして本体ハウジング２ａの上面には、ハンドル２ｄが設けられており、ハンドル２ｄには、トリガスイッチ２ｋが設けられている。モータハウジング２ｂには、モータ２ｃが内設されており、モータ２ｃは、トリガスイッチ２ｋを引くことでバッテリ２ｊから電力が供給され、駆動機構２ｆを駆動させて切断刃２ｈを回転させる。
【００１１】
ブレードカバー２ｅは、図３に示すように本体ハウジング２ａの側部に沿って立設された側面覆い部２ｅ１と、側面覆い部２ｅ１の外周縁から切断刃２ｈに向けて張出す周縁部２ｅ２を有している。
側面覆い部２ｅ１は、略半円板状であって、切断刃２ｈの左側面の上側略半分を覆う。周縁部２ｅ２は、切断刃２ｈの上側略半分の外周縁を径方向外方から覆う。
周縁部２ｅ２の上端部には、図３，６に示すように受部２ｍが形成されている。受部２ｍは、ダストケース３側に開口する開口部２ｍ１と、開口部２ｍ１の上側に設けられた傾斜面２ｍ２を有している。そして受部２ｍには、後述するようにロック機構４の連動ロック部４ａが係合される。
【００１２】
ベース５は、図２に示すように板状であって、切断材に載置されることで丸鋸１の姿勢を決定する。ベース５の前端部には、上方に突出する支持部５ａが形成されており、支持部５ａにブレードカバー２ｅの前端部２ｅ６が傾動可能に取付けられる。ベース５の右縁には、挿通溝５ｂが形成されており、挿通溝５ｂに切断刃２ｈが挿通され、切断刃２ｈがベース５の下面側に突き出されている。したがって切断機本体２を支持部５ａに対して角度調整することによって、切断刃２ｈの切断材に対する切り込み深さを変更することができる。
【００１３】
ダストケース３は、切断刃２ｈによって巻き上げられた切断粉を集塵するために、図１に示すように箱状のボックス部３ａと、ボックス部３ａから切断刃２ｈに張出して切断刃２ｈの上側略半分の外周縁を径方向外方から覆う張出し部３ｂを有している。またダストケース３には、図４に示すように切断機本体２に脱着するために複数（例えば三つ）の掛止部とロック機構４が設けられている。
【００１４】
ボックス部３ａは、図４に示すように収納室３ａ２と取込口３ａ１を有している。取込口３ａ１は、切断刃２ｈ側（紙面手前側）の前寄り上方部に設けられており、切断刃２ｈによって矢印Ａ方向に巻き上げられた切断粉を収納室３ａ２に取込み、切断粉を収納室３ａ２に貯める。
ボックス部３ａの厚みは、切断刃２ｈに対応する前側領域において厚みが薄く、切断刃２ｈを避けた後側領域において厚みが厚くなっている。厚みが厚くなった後領域の後面には、収納室３ａ２に貯めた切断粉を排出するために排出口３ａ３と、排出口３ａ３を開閉するためにボックス部３ａに傾動可能に取付けられた蓋３ｄが設けられている。
【００１５】
張出し部３ｂは、図１，４に示すようにボックス部３ａの半円弧状の外周縁から切断刃２ｈ側（紙面手前側）に張出している。そして張出し部３ｂの先端縁には、複数（例えば三つ）の掛止部３ｃ１〜３ｃ３が設けられており、掛止部３ｃ１〜３ｃ３は、張出し部３ｂの前端寄り部、上端部、後端部に設けられている。
掛止部３ｃ１〜３ｃ３は、断面Ｌ字状であって、張出し部３ｂから切断機本体２側（紙面手前側）に向けて張出し、その先端部が切断刃２ｈの回転中心方向に向けて延出している。そして複数の掛止部３ｃ１〜３ｃ３は、図１に示すようにブレードカバー２ｅの周縁部２ｅ２に対して上側から掛け止められる。詳しくは複数の掛止部３ｃ１〜３ｃ３が周縁部２ｅ２の一部でもある各掛止受部２ｅ３〜２ｅ５に対して上側から同じ方向に一度に掛け止められる（図１，３，４参照）。
【００１６】
ダストケース３を切断機本体２に対してロックするロック機構４は、図５に示すように連動ロック部４ａと、連動ロック部４ａを付勢する付勢部材４ｃを有している。
連動ロック部４ａは、ダストケース３に対して進退可能に設けられており、切断機本体２側に向けて進出することで、ブレードカバー２ｅの受部２ｍに係合する。
付勢部材４ｃは、コイルスプリングであって、ダストケース３に形成された凹部３ｅに収納され、連動ロック部４ａを進出方向に付勢する。
【００１７】
連動ロック部４ａには、図５に示すように操作部４ｂが一体に設けられている。操作部４ｂは、連動ロック部４ａからダストケース３の貫通穴３ｆを貫通し、ダストケース３の上面に張出すことで作業者によって操作され得る構成になっている。したがって操作部４ｂを操作することで連動ロック部４ａを後退させることができる。そして操作部４ｂが貫通穴３ｆの前壁を構成するストッパ３ｇによって進出方向への移動が規制されるため、連動ロック部４ａは、操作部４ｂを介してストッパ３ｇによってダストケース３から進出方向に抜けることが防止されている。
【００１８】
連動ロック部４ａは、図５，６に示すように傾斜する傾斜面４ａ１を先端部に有している。傾斜面４ａ１は、掛止部３ｃ１〜３ｃ３を掛止受部２ｅ３〜２ｅ５に掛け止めるために、ダストケース３を切断機本体２に対して上方から下方に移動させることで、受部２ｍの傾斜面２ｍ２に当接する。そしてダストケース３をさらに下方に移動させることで、傾斜面４ａ１が傾斜面２ｍ２と協同して連動ロック部４ａをダストケース３側に後退させる。そしてダストケース３をさらに下方に移動させることで、連動ロック部４ａが受部２ｍの開口部２ｍ１に対応する位置に到達し、連動ロック部４ａが付勢部材４ｃによって受部２ｍに向けて進出し、連動ロック部４ａが受部２ｍの開口部２ｍ１に係合する。このためダストケース３は、連動ロック部４ａによって切断機本体２に対してロックされる。
【００１９】
ロック機構４を解除する場合は、操作部４ｂを操作して連動ロック部４ａを付勢部材４ｃに抗して後退させ、連動ロック部４ａを受部２ｍから係合解除する。そしてその状態のままダストケース３を切断機本体２に対して上方に移動させることで、ダストケース３を切断機本体２から外すことができる。
【００２０】
以上のようにして実施の形態が構成されている。
すなわちダストケース３は、図１に示すように切断機本体２の掛止受部２ｅ３〜２ｅ５に掛け止められる掛止部３ｃ１〜３ｃ３を有している。そしてダストケース３には、掛止部３ｃ１〜３ｃ３を掛止受部２ｅ３〜２ｅ５に掛け止めるためにダストケース３を切断機本体２に対して移動させる動作に連動して、切断機本体２に向けて進出して切断機本体２の受部２ｍに係合しダストケース３を切断機本体２にロックする連動ロック部４ａを備えるロック機構４が設けられている。
【００２１】
したがってダストケース３を切断機本体２に掛止める方向に移動させることで、連動ロック部４ａによってダストケース３を切断機本体２に対してロックすることができる。そのため従前のようにねじやロックバーなどを回すことなく、ダストケース３を切断機本体２に対してロックすることができ、ダストケース３を切断機本体２に対して容易に取付けることができる。
【００２２】
またロック機構４は、図５，６に示すように連動ロック部４ａを進出方向に付勢する付勢部材４ｃを有している。そして連動ロック部４ａは、掛止部３ｃ１〜３ｃ３を掛止受部２ｅ３〜２ｅ５に掛け止めるためにダストケース３を切断機本体２に対して移動させる動作によって、受部２ｍ側から力を受けて付勢部材４ｃに抗して移動し、その後、付勢部材４ｃの付勢力によって進出して受部２ｍに係合する構成になっている。また連動ロック部には、操作部４ｂが設けられており、操作部４ｂを操作することで連動ロック部４ａが付勢部材４ｃに抗して移動し受部２ｍから係合解除される構成になっている。
したがって連動ロック部４ａは、付勢部材４ｃによる付勢力によって受部２ｍに係合する。そして連動ロック部４ａは、連動ロック部４ａに設けられた操作部４ｂの操作によって受部２ｍから係合解除される。
【００２３】
また切断機本体２は、図３に示すように円盤状の切断刃２ｈと、切断刃２ｈの側面を覆うブレードカバー２ｅを有している。ダストケース３は、図４に示すように切断機本体２に対し同一方向に掛け止められる複数の掛止部３ｃ１〜３ｃ３を有しており、ダストケース３をブレードカバー２ｅに沿って切断刃２ｈの面と平行にスライドさせることで、ブレードカバー２ｅに形成された各掛止受部２ｅ３〜２ｅ５に複数の掛止部３ｃ１〜３ｃ３が掛け止められる構成になっている。そして連動ロック部４ａは、図５，６に示すように切断刃２ｈの回転軸方向と略平行でかつ掛止部３ｃ１〜３ｃ３の掛け止め動作方向と略直交する方向に進出して受部２ｍに係合する構成になっている。
【００２４】
したがってダストケース３は、ブレードカバー２ｅに沿ってスライドされるために、ブレードカバー２ｅに案内されつつスライドされる。そしてダストケース３のブレードカバー２ｅに対するスライドによって複数の掛止部３ｃ１〜３ｃ３を一度にブレードカバー２ｅに掛け止めることができる。したがってダストケース３を容易にかつ安定良くブレードカバー２ｅに掛け止めることができる。
また連動ロック部４ａは、ダストケース３のスライド方向に対して略垂直方向に進出して受部２ｍに係合する。そのためダストケース３は、連動ロック部４ａによって安定良く切断機本体２に対してロックされ得る。
【００２５】
（他の実施の形態）
本発明は、上記の実施の形態に限定されず、以下の形態であっても良い。
（１）すなわち上記の実施の形態は、図５に示すようにダストケース３側にロック機構４を有し、切断機本体２側に受部２ｍを有していた。しかしダストケース３側に受部を有し、切断機本体２側にロック機構を有する形態であっても良い。
（２）また上記の実施の形態に係る切断機は、携帯用の丸鋸であった。しかし携帯用ではない丸鋸、ベルトサンダ、ミゾキリなどの切断機などであっても良い。
【図面の簡単な説明】
【００２６】
【図１】丸鋸の斜視図である。
【図２】丸鋸の斜視図である。
【図３】ダストケースを取外した状態における丸鋸の右側面図である。
【図４】ダストケースの左側面図である。
【図５】図１のＶ−Ｖ線一部断面拡大図である。
【図６】ダストケースを切断機本体に取付ける様子を示す図６に相当する切断機の一部断面拡大図である。
【符号の説明】
【００２７】
１…丸鋸（切断機）
２…切断機本体
２ａ…本体ハウジング
２ｅ…ブレードカバー
２ｅ３〜２ｅ５…掛止受部
２ｈ…切断刃
２ｍ…受部
２ｍ２…傾斜面
３…ダストケース
４…ロック機構
４ａ…連動ロック部
４ａ１…傾斜面
４ｂ…操作部
４ｃ…付勢部材
５…ベース
【図１】
2007196310.tif 000003
【図２】
2007196310.tif 000004
【図３】
2007196310.tif 000005
【図４】
2007196310.tif 000006
【図５】
2007196310.tif 000007
【図６】
2007196310.tif 000008